(57)【要約】【課題】  ドアパネルを構成するドア枠体であって、溶接することなく簡単に組立てすることが出来るドア枠の提供。【解決手段】  概略コ形の左枠体８と概略コ形の右枠体９を互いに連結して構成され、左上桟４と右上桟５はドアチェック取付け部１０にて連結され、左下桟６と右下桟７は連結材１１にて連結される。上記ドアチェック取付け部１０の両側片先端部には嵌合凸部１８，１８・・を外方向へ突出して設けると共に上記左上桟４と右上桟５の側片に形成した嵌合穴１５，１５・・に嵌合し、上記連結材１１の両側片２０，２０には嵌合凸部１８，１８・・を外方向へ突出して設けると共に上記左下桟６と右下桟７の側片に形成した嵌合穴１５，１５・・に嵌合し、これら嵌合穴１５，１５・・は嵌入溝１４，１４・・の底に連続して形成している。【選択図】    図１
2005240340.tif 000002
【特許請求の範囲】
【請求項１】
ドアパネルを構成するドア枠体において、縦桟と左上桟及び左下桟を有す概略コ形の左枠体と、縦桟と右上桟及び右下桟を有す概略コ形の右枠体が互いに連結して構成され、左上桟と右上桟はドアチェック取付け部にて連結され、左下桟と右下桟は連結材にて連結され、上記ドアチェック取付け部の両側片先端部には嵌合凸部を外方向へ突出して設けると共に上記左上桟と右上桟の側片に形成した嵌合穴に嵌合し、上記連結材の両側片には嵌合凸部を外方向へ突出して設けると共に上記左下桟と右下桟の側片に形成した嵌合穴に嵌合し、これら嵌合穴は嵌入溝の底に連続して形成したことを特徴とするドアパネルの枠体構造。
【請求項２】
上記ドアチェック取付け部の側端を縦桟に当接して取付けた請求項１記載のドアパネルの枠体構造。
【請求項３】
上記縦桟にはロック取付け部を取着し、コ形をしたロック取付け部の側片先端部には嵌合凸部を外方向へ突出して設けると共に上記縦桟の側片に形成した嵌合穴に嵌合し、該嵌合穴は嵌入溝の底に連続して形成した請求項１、又は請求項２記載のドアパネルの枠体構造。
【発明の詳細な説明】
【技術分野】
【０００１】
本発明はドアパネルの骨組みと成る枠体を溶接しないで組立て・構成するドア枠体構造に関するものである。
【背景技術】
【０００２】
建物の大きな空間を仕切る為に間仕切り装置が多用され、該間仕切り装置は間仕切りパネルが垂直に起立するスタッドに連結して転倒しないように配列されている。又、私的な小空間を仕切る為のローパーティションの場合も同じく、スタッドを間にしてパネルが連結・配置されている。そして、このようなパネルは金属製の枠体にペーパーコアなどの芯材を充填し、両面側に表面材が貼着されて構成される。
【０００３】
上記パネルの大きさ・形状は色々あるが、該パネルの骨組みとなる金属製の枠体は長方形を成し、両縦桟、上桟、及び下桟が枠組みされ、大きなパネルでは必要に応じて中桟が用いられる。そしてこれら各桟は溶接されて、強度・剛性の高い枠体が構成されている。ところで、各桟を溶接する場合、組立て時に正しく位置決めしなくてはならず、又溶接不良が発生しないように注意することが必要となる。
【０００４】
従って、溶接に慣れた熟練工でなくてはならず、しかし各桟の位置決め作業が必要となるなど、組立て作業に工数がかかり、コストは必然的に高くなる一方、溶接不良箇所が一箇所でもあれば、枠体としての強度は低下してしまう。さらに、溶接される枠体では、溶接時の熱で歪みが発生して、組み立てられる枠体に捩れを起こして正確な長方形を構成することが出来ず、後工程での表面材の貼着に支障を来たすことにもなる。
【０００５】
図８は枠体の一部を構成する桟(イ)、(ロ)を溶接しないで連結する構造であり、連結手段として連結材(ハ)が使用される。桟(イ)、(ロ)はコ型断面の長尺材であって、両側片(ニ)、(ニ)には嵌合穴(ホ)、(ホ)が貫通して設けられ、一方のコ型断面をした連結材(ハ)の両側片(ヘ)、(ヘ)には嵌合凸部(ト)、(ト)が外側へ突出して設けられている。これら嵌合穴(ホ)、(ホ)、及び嵌合凸部(ト)、(ト)はプレス加工にて簡単に造ることが出来、同図の(ｂ)に示すように両桟(イ)、(ロ)は連結材(ハ)を介して連結される。
【０００６】
すなわち、コ型断面の桟(イ)と(ロ)を突き合わせた状態で、コ型断面の連結材(ハ)を嵌めると共に、嵌合穴(ホ)、(ホ)には嵌合凸部(ト)、(ト)が嵌合して連結される。このように、両桟(イ)、(ロ)を連結材(ハ)を用いて連結するには、コ型断面の桟(イ)、(ロ)に連結材(ハ)を嵌めると共に嵌合穴(ホ)、(ホ)に嵌合凸部(ト)、(ト)が嵌合する必要があり、この際、桟(イ)、(ロ)の両側片(ニ)、(ニ)が外方向へ撓み変形し、連結材(ハ)の両側片(ヘ)、（ヘ）は内側へ撓まなくてはならない。従って、連結材(ハ)を桟(イ)、(ロ)に嵌める作業は容易でない。
【発明の開示】
【発明が解決しようとする課題】
【０００７】
このように、パネルの骨組みと成る枠体を製作するに際して上記のごとき問題がある。本発明が解決しようとする課題はこの問題点であり、溶接することなく連結材を用いて、簡単にしかも安定した連結を行うことが出来るドアパネルの枠体構造を提供する。
【課題を解決するための手段】
【０００８】
本発明が対象とするパネルはドアパネルであり、該ドアパネルの枠体を溶接することなく枠組みする構造である。枠体は両縦桟と上桟及び下桟にて構成されるが、本発明では概略コ型の右枠材と左枠体を造り、左右枠体を上桟と下桟にて互いに連結する構造と成っている。すなわち、右枠体は縦桟の上端及び下端には左方向へ延びる右上桟と右下桟が設けられ、左枠体は縦桟の上端及び下端には右方向へ延びる左上桟と左下桟が設けられている。
【０００９】
この左右上桟と左右下桟は連結材を介在して互いに連結されるが、左右上桟を連結する連結材としてはドアチェック取付け部が兼用される構造と成っている。その為に、右枠体の右上桟は短くて左枠体の左上桟を長くし、上記ドアチェック取付け部はドア枠体の上部コーナーに位置することが出来る。一方の右下桟及び左下桟の長さは特に限定しないが、ドア枠体の中央部で連結するように等しい長さとすることが一般的である。
【００１０】
そして、本発明では、左右上桟及び左右下桟を連結するドアチェック取付け部材と連結材の取付けを簡単に行うことが出来るように、上記左右上桟及び左右下桟の両側片には嵌入溝を形成し、該嵌入溝の底に嵌合穴を連続して形成した形態としている。コ形断面をしたドアチェック取付け部材と連結材の両側片には嵌合凸部が設けられ、上下桟の両側片を撓み変形させることなく、該嵌合凸部は嵌入溝を通過して嵌合穴に嵌ることが出来る。
【発明の効果】
【００１１】
本発明に係るドアパネルの枠体は右枠体と左枠体を連結材にて連結するものであり、溶接作業を行うことなく簡単に連結することが出来る。すなわち、右枠体の右上下桟及び左枠体の左上下桟に嵌合穴を設け、連結材の両側片には嵌合凸部を設け、該嵌合凸部を嵌合穴に嵌めることで右枠体と左枠体を連結材にて連結することが出来る。この際、上記嵌合穴には嵌入溝が設けられている為に、側片を撓み変形させることなく、連結材を簡単に取付けることが可能である。
【００１２】
一方、本発明のドア枠体は右枠体と左枠体を連結材にて連結・構成するものであるが、ドアチェック取付け部を連結材として用いる構造とすることで、右上桟と左上桟の連結部には連結材を使用しないで該ドアチェック取付け部が連結材として機能する。従って、部品点数の削減を図ることが出来ると共に、ドア枠体の上側コーナーに長方形のドアチェックを取付けることで、枠体の形状を正確な長方形に矯正出来る。
【実施例】
【００１３】
図１は本発明に係るドア枠体を表している。該ドア枠体は縦長の長方形を成し、両縦桟１，１と上桟２及び下桟３とで構成され、上桟２は左上桟４と右上桟５から成り、下桟３は左下桟６と右下桟７を有している。すなわち、ドア枠体は概略コ形をした左枠体８と、同じく概略コ形をした右枠体９が互いに連結して構成されている。
【００１４】
左上桟４と右上桟５はドアチェック取付け部１０にて連結され、左下桟６と右下桟７は連結材１１にて連結されている。そして、該ドア枠体の縦桟１にはコ形形状のロック取付け部１２が取付けられている。図２は左枠体８を示しているが、(ｂ)のように切断された板材を曲げ成形することで、概略コ形の左枠体８と成る。すなわち、細長い板材にはＶ形カット１３，１３・・を４箇所に設け、又嵌入溝１４，１４・・を１２箇所に形成している。
【００１５】
この細長い板材全体をコ型断面となるように曲げ成形し、上記Ｖ形カット１３，１３・・の位置で垂直に曲げられて、図２(ａ)に示すように、縦桟１及び左上桟４と左下桟６が形成される。そこで、上記嵌入溝１４，１４・・は、コ型断面となった縦桟１の両側片、同じくコ型断面となった左上桟４と左下桟６の両側片に形成されることになる。
【００１６】
図３は右枠体９を示しているが、(ｂ)のように切断された板材を曲げ成形することで、概略コ形の右枠体９と成る。すなわち、細長い板材にはＶ形カット１３，１３・・を４箇所に設け、又嵌入溝１４，１４・・を８箇所に形成している。この細長い板材全体をコ型断面となるように曲げ成形し、上記Ｖ形カット１３，１３・・の位置で垂直に曲げられて、図３(ａ)に示すように、縦桟１及び右上桟５と左下桟７が形成される。そこで、上記嵌入溝１４，１４・・は、コ型断面となった右上桟５と右下桟７の両側片に形成されることになる。
【００１７】
図４は嵌入溝１４の拡大図であり、該嵌入溝１４の底には嵌合穴１５が連続して形成されている。そして、嵌合穴１５の入口寸法Ａは嵌合穴１５の直径Ｂより小さく成っている為に、該嵌合穴１５に嵌るドアチェック取付け部１０及び連結材１１に設けた嵌合凸部１８は入口１６を押し開いて嵌合することが出来、一旦嵌合した嵌合凸部１８は簡単に外れることはない。
【００１８】
図５はドアチェック取付け部１０を示しているように、コ型断面をした長方形部材であり、両側片１７，１７の先端部はその幅寸法を僅かに小さくして、嵌合凸部１８，１８・・を外方向へ突出して形成している。嵌合凸部１８の形状は円形を成し、上記図４に示す嵌合穴１５に嵌合することが出来る寸法と成っている。
【００１９】
左枠体８と右枠対９の左上桟４と右上桟５は、ドアチェック取付け部１０にて連結されるが、側片１７，１７を左右上桟４，５の側片間に嵌めると共に、嵌合凸部１８，１８・・を嵌入溝１４，１４・・を通過して嵌合穴１５，１５・・に嵌合する。ドアチェック取付け部１０の両側片１７，１７に設けた合計８個の嵌合凸部１８，１８・・を、左右上桟４，５の側片に形成した嵌合穴１５，１５・・に嵌合することで互いに連結され、ドアチェック取付け部１０の側端１９は縦桟１に当接することになる。
【００２０】
従って、上桟２に対して縦桟１が垂直に保たれ、その結果、他のコーナー角度も９０°を成して正確な長方形のドア枠体と成る。図６は下桟３の左下桟６と右下桟７を連結する為の連結材１１を示している。該連結材１１は両側片２０，２０を有すコ型断面を成し、側片２０，２０には嵌合凸部１８，１８・・が外方向へ突出して設けられている。
【００２１】
左枠体８と右枠対９の左下桟６と右下桟７は、連結材１１にて連結されるが、側片２０，２０を左右下桟６，７の側片間に嵌めると共に、嵌合凸部１８，１８・・を嵌入溝１４，１４・・を通過して嵌合穴１５，１５・・に嵌合する。連結材１１の両側片２０，２０に設けた合計８個の嵌合凸部１８，１８・・を左右下桟６，７の側片に形成した嵌合穴１５，１５・・に嵌合することで互いに連結される。
【００２２】
図７はロック取付け部１２を示しているが、全体形状はコ形を成すと共に各部もコ型断面と成っている。そして、コ型断面を成す両アーム２１，２１の側片先端には嵌合凸部１８，１８が外方向へ突出して設けられ、この嵌合凸部１８，１８は縦桟１に設けている嵌合穴１５，１５に嵌合して取付けられる。
【図面の簡単な説明】
【００２３】
【図１】本発明に係るドア枠体。
【図２】ドア枠体を構成する左枠体。
【図３】ドア枠体を構成する右枠体。
【図４】嵌合溝と嵌合穴の拡大図。
【図５】左右上桟を連結するドアチェック取付け部。
【図６】左右下桟を連結する連結材。
【図７】ロック取付け部。
【図８】従来の連結構造。
【符号の説明】
【００２４】
１  縦桟
２  上桟
３  下桟
４  左上桟
５  右上桟
６  左下桟
７  右下桟
８  左枠体
９  右枠体
10  ドアチェック取付け部
11  連結材
12  ロック取付け部
13  Ｖ形カット
14  嵌入溝
15  嵌合穴
16  入口
17  側片
18  嵌合凸部
19  側端
20  側片
21  アーム
【図１】
2005240340.tif 000003
【図２】
2005240340.tif 000004
【図３】
2005240340.tif 000005
【図４】
2005240340.tif 000006
【図５】
2005240340.tif 000007
【図６】
2005240340.tif 000008
【図７】
2005240340.tif 000009
【図８】
2005240340.tif 000010